(57)【要約】【課題】機器に割り当てられる物理アドレスを用いて通信を行う場合に、誤った物理アドレスにより、機器が誤動作を生じることを防止すること。【解決手段】制御部２は、ＢＤプレーヤー１００の物理アドレスを決定し、決定したＢＤプレーヤー１００の物理アドレスをＥＤＩＤ  ＲＯＭ１２に記憶し、決定したＢＤプレーヤー１００の物理アドレスと、ＢＤプレーヤー１００の論理アドレスと、を対応付けて記憶部３に記憶する。また、制御部２は、ＢＤプレーヤー１００が認識している、ＢＤプレーヤー１００の物理アドレスを取得し、取得したＢＤプレーヤー１００の物理アドレスと、記憶部３に記憶されている、ＢＤプレーヤー１００の論理アドレスに対応する物理アドレスと、が一致しない場合、ＢＤプレーヤー１００に、ＥＤＩＤ  ＲＯＭに記憶されている、ＢＤプレーヤー１００の物理アドレスを取得させる。【選択図】図２
2016001845.tif 000002
【特許請求の範囲】
【請求項１】
自機器にデジタル信号ケーブルを介して接続される外部機器がアクセス可能な第１記憶部と、
第２記憶部と、
前記外部機器の物理アドレスを決定し、
決定した前記外部機器の物理アドレスを前記第１記憶部に記憶し、
決定した前記外部機器の物理アドレスと、前記外部機器の論理アドレスと、を対応付けて前記第２記憶部に記憶し、
前記外部機器が認識している、前記外部機器の物理アドレスを取得し、
取得した前記外部機器の物理アドレスと、前記第２記憶部に記憶されている、前記外部機器の論理アドレスに対応する物理アドレスと、が一致しない場合、前記外部機器に、前記第１記憶部に記憶されている、前記外部機器の物理アドレスを取得させる制御部と、
を備えることを特徴とする電子機器。
【請求項２】
前記制御部は、決定した前記外部機器の物理アドレスを前記第１記憶部に記憶したときに、前記外部機器に、前記第１記憶部に記憶されている、前記外部機器の物理アドレスを取得させることを特徴とする請求項１に記載の電子機器。
【請求項３】
前記制御部は、前記外部機器からメッセージを受信した場合に、前記メッセージに含まれている、前記外部機器が認識している、前記外部機器の物理アドレスを取得することを特徴とする請求項１又は２に記載の電子機器。
【発明の詳細な説明】
【技術分野】
【０００１】
本発明は、デジタル信号ケーブルを介して接続される外部機器と通信を行う電子機器に関する。
【背景技術】
【０００２】
デジタル信号ケーブルを介して接続される外部機器と通信を行う電子機器として、ＡＶレシーバーが知られている。ＡＶレシーバーには、例えば、ソース機器としてのＢＤ（Blu-ray（登録商標） Disc）プレーヤー、シンク機器としてのＴＶ受像機が接続される。図５は、これらの機器の接続例を示した図である。ＨＤＭＩ（登録商標）規格においては、ＡＶレシーバー３００、ＢＤプレーヤー４００ａ、４００ｂ、ＴＶ受像機５００は、ＣＥＣ（Consumer Electronics Control）ラインにより、デイジーチェーン接続される。そして、ＣＥＣラインを介してＣＥＣメッセージをやり取りすることで、例えば、ＢＤプレーヤー４００ａの再生に連動して、ＴＶ受像機５００の電源がオンとなる、いわゆるワンタッチプレイ等のＣＥＣ機能を実現可能となっている（例えば、特許文献１参照。）。
【０００３】
上記のＣＥＣメッセージをやり取りするために、ＡＶレシーバー３００、ＢＤプレーヤー４００ａ、４００ｂ、ＴＶ受像機５００には、物理アドレスが割り当てられる。ＨＤＭＩ（登録商標）規格においては、シンク機器（本例では、ＴＶ受像機５００）がソース機器やリピータ機器（本例では、ＡＶレシーバー３００）の物理アドレスを決定し（割り当て）、リピータ機器（本例では、ＡＶレシーバー３００）がソース機器（ＢＤプレーヤー４００ａ、４００ｂ）の物理アドレスを決定する（割り当てる）。そして、ソース機器やリピータ機器は、シンク機器が決定した物理アドレスをシンク機器から取得し、ソース機器は、リピータ機器やシンク機器が決定した物理アドレスをリピータ機器やシンク機器から取得する。各機器は、物理アドレスを用い、機器間の対応関係を認識している。
【先行技術文献】
【特許文献】
【０００４】
【特許文献１】特開２０１１−０６６６４６号公報
【発明の概要】
【発明が解決しようとする課題】
【０００５】
ここで、上記した物理アドレスは、機器間のデジタル信号ケーブルの挿抜や電源のオン／オフ状態によって変化するため、必ずしも物理アドレスが一意に割り当てられるとは限らない。例えば、図６に示すように、ＡＶレシーバー３００の物理アドレス（１，０，０，０）と、ＢＤプレーヤー４００ａの物理アドレス（１，０，０，０）と、が重複してしまう可能性がある。このような場合、ＣＥＣ機能であるワンタッチプレイやルーティングチェンジ（経路切替）で誤動作が生じ、ユーザーの意図しない動作となってしまうことが起こりうる。
【０００６】
本発明の目的は、機器に割り当てられる物理アドレスを用いて通信を行う場合に、誤った物理アドレスにより、機器が誤動作を生じることを防止することである。
【課題を解決するための手段】
【０００７】
第１の発明の電子機器は、自機器にデジタル信号ケーブルを介して接続される外部機器がアクセス可能な第１記憶部と、第２記憶部と、前記外部機器の物理アドレスを決定し、決定した前記外部機器の物理アドレスを前記第１記憶部に記憶し、決定した前記外部機器の物理アドレスと、前記外部機器の論理アドレスと、を対応付けて前記第２記憶部に記憶し、前記外部機器が認識している、前記外部機器の物理アドレスを取得し、取得した前記外部機器の物理アドレスと、前記第２記憶部に記憶されている、前記外部機器の論理アドレスに対応する物理アドレスと、が一致しない場合、前記外部機器に、前記第１記憶部に記憶されている、前記外部機器の物理アドレスを取得させる制御部と、を備えることを特徴とする。
【０００８】
本発明では、制御部は、取得した外部機器の物理アドレスと、第２記憶部に記憶されている、外部機器の論理アドレスに対応する物理アドレスと、が一致しない場合、外部機器に、第１記憶部に記憶されている、外部機器の物理アドレスを取得させる。これにより、誤った物理アドレスにより、外部機器や電子機器が誤動作を生じることを防止することができる。
【０００９】
第２の発明の電子機器は、第１の発明の電子機器において、前記制御部は、決定した前記外部機器の物理アドレスを前記第１記憶部に記憶したときに、前記外部機器に、前記第１記憶部に記憶されている、前記外部機器の物理アドレスを取得させることを特徴とする。
【００１０】
本発明では、制御部は、決定した外部機器の物理アドレスを第１記憶部に記憶したときに、外部機器に、第１記憶部に記憶されている、外部機器の物理アドレスを取得させる。これにより、誤った物理アドレスにより、外部機器や電子機器が誤動作を生じることを防止することができる。
【００１１】
第３の発明の電子機器は、第１又は第２の発明の電子機器において、前記制御部は、前記外部機器からメッセージを受信した場合に、前記メッセージに含まれている、前記外部機器が認識している、前記外部機器の物理アドレスを取得することを特徴とする。
【００１２】
本発明では、制御部は、外部機器からメッセージを受信した場合に、メッセージに含まれている、外部機器が認識している、外部機器の物理アドレスを取得する。これにより、外部機器から物理アドレスを取得するためのメッセージの送信等の処理を行うことなく、外部機器の物理ドレスを取得することができる
【発明の効果】
【００１３】
本発明によれば、機器に割り当てられる物理アドレスを用いて通信を行う場合に、誤った物理アドレスにより、機器が誤動作を生じることを防止することができる。
【図面の簡単な説明】
【００１４】
【図１】本発明の実施形態に係るＡＶレシーバーの構成を示すブロック図である。
【図２】物理アドレスと論理アドレスとの対応関係を示すテーブルの一例である。
【図３】ＣＥＣ機能がオンになった場合のＡＶレシーバーの処理動作を示すフローチャートである。
【図４】ＢＤプレーヤーから送信されるＣＥＣメッセージを受信した場合のＡＶレシーバーの処理動作を示すフローチャートである。
【図５】ＡＶレシーバー、ＢＤプレーヤー、ＴＶ受像機の接続例を示す図である。
【図６】物理アドレスが重複した場合の例を示す図である。
【発明を実施するための形態】
【００１５】
以下、本発明の実施形態について説明する。図１は、本実施形態に係るＡＶレシーバー１を示すブロック図である。ＡＶレシーバー１（電子機器）は、例えば、ソース機器であるＢＤ（Blu-ray（登録商標） Disc）プレーヤー１００ａ、１００ｂ（外部機器）と、ＨＤＭＩ（登録商標）ケーブル等のデジタル信号ケーブルを介して接続されている。また、ＡＶレシーバー１は、例えば、シンク機器であるＴＶ受像機２００とデジタル信号ケーブルを介して接続されている。ＡＶレシーバー１は、ＢＤプレーヤー１００ａ等から入力される映像信号にスケーラ変換等の映像処理を行ってＴＶ受像機２００に出力する機能を有する。なお、ＡＶレシーバー１には、音声信号も入力される。そして、ＡＶレシーバー１は、音声信号に増幅等の音声処理を行って外部のスピーカーに出力することも可能であるが、説明の簡単のため、音声信号の出力については説明を省略する。
【００１６】
図１に示すように、ＡＶレシーバー１は、制御部２、記憶部３、表示部４、操作部５、デジタル信号入力端子６ａ、６ｂ、セレクタ７、デジタル信号受信部８、ビデオプロセッサ９、デジタル信号送信部１０、デジタル信号出力端子１１、ＥＤＩＤ  ＲＯＭ１２等を備えている。
【００１７】
制御部２は、記憶部３に記憶された制御プログラムに従って、ＡＶレシーバー１を構成する各部を制御する。制御部２の機能については後述する。記憶部３（第２記憶部）は、制御部２の主メモリとして機能するＲＡＭ（Random Access Memory）、制御プログラムを記憶するＲＯＭ（Read Only Memory）から構成されている。なお、記憶部３は、例示する構成に限られず、フラッシュメモリやＨＤＤ（Hard Disk Drive）等を含んでいてもよい。
【００１８】
表示部４は、設定画面等を表示するものであり、ＬＣＤ（液晶ディスプレイ）や蛍光表示管等である。操作部５は、ユーザー操作を受け付けるためのものであり、ＡＶレシーバー１の筐体に設けられた操作ボタンやリモートコントローラである。ユーザーは、操作部５を操作することにより、セレクタ７に選択させるデジタル信号入力端子６ａ、６ｂ、すなわち、ＴＶ受像機２００に表示されるコンテンツを再生するＢＤプレーヤー１００ａ、１００ｂを指示することが可能である。
【００１９】
デジタル信号入力端子６ａ、６ｂには、それぞれ、ＢＤプレーヤー１００ａ、１００ｂが接続されており、ＢＤプレーヤー１００ａ、１００ｂが再生するＨＤＭＩ（登録商標）方式のデジタル映像信号が入力される。なお、ＡＶレシーバー１が備えるデジタル信号入力端子６の数は、本実施形態で例示する数に限られない。
【００２０】
セレクタ７は、制御部２からの指示に従って、いずれかのデジタル信号入力端子６ａ、６ｂを選択する。具体的には、ＢＤプレーヤー１００ａから入力されるデジタル映像信号をＴＶ受像機２００に出力する場合、セレクタ７は、デジタル信号入力端子６ａを選択し、デジタル信号入力端子６ａとデジタル信号受信部８とを接続する。ＢＤプレーヤー１００ｂから入力されるデジタル映像信号をＴＶ受像機２００に出力する場合、セレクタ７は、デジタル信号入力端子６ｂを選択し、デジタル信号入力端子６ｂとデジタル信号受信部８とを接続する。
【００２１】
デジタル信号受信部８は、デジタル信号入力端子６ａ、６ｂから入力されるデジタル映像信号を受信し、ビデオプロセッサ９に出力する。ビデオプロセッサ９は、デジタル映像信号に画質調整、スケーラ変換等の映像処理を行って、デジタル信号送信部１０に出力する。デジタル信号送信部１０は、デジタル映像信号を、デジタル信号出力端子１１を介して、ＴＶ受像機２００に送信する。ＴＶ受像機２００は、ＡＶレシーバー１から入力されたデジタル映像信号に基づいて、映像を表示する。
【００２２】
ＥＤＩＤ  ＲＯＭ１２（第１記憶部）は、ＥＤＩＤ（Extended Display Identification Data）を記憶するＥＥＰＲＯＭ（Electrically Erasable Programmable Read-Only Memory）である。ＥＤＩＤには、ＡＶレシーバー１が取り扱うことができるデジタル映像信号の解像度等が含まれる。ＥＤＩＤ  ＲＯＭ１２は、ＤＤＣラインにより、ＢＤプレーヤー１００ａ、１００ｂと接続されている。
【００２３】
ここで、制御部２は、ＣＥＣラインにより、ＢＤプレーヤー１００ａ、１００ｂ、ＴＶ受像機２００と接続されている。すなわち、ＡＶレシーバー１、ＢＤプレーヤー１００ａ、１００ｂ、ＴＶ受像機２００は、ＣＥＣラインにより、デイジーチェーン接続されている。従って、ＣＥＣラインを介してＣＥＣメッセージをやり取りすることで、例えば、ＢＤプレーヤー１００ａの再生に連動して、ＴＶ受像機２００の電源がオンとなる、いわゆるワンタッチプレイ等のＣＥＣ機能を実現可能である。
【００２４】
制御部２の機能について説明する。制御部２は、ソース機器であるＢＤプレーヤー１００ａ、１００ｂの物理アドレスを決定する。ＨＤＭＩ（登録商標）規格においては、シンク機器（本実施形態では、ＴＶ受像機２００）がソース機器やリピータ機器（本実施形態では、ＡＶレシーバー１）の物理アドレスを決定し（割り当て）、リピータ機器（本実施形態では、ＡＶレシーバー１）がソース機器（本実施形態では、ＢＤプレーヤー１００ａ、１００ｂ）の物理アドレスを決定する（割り当てる）。従って、制御部２は、まず、シンク機器であるＴＶ受像機２００が決定するＡＶレシーバー１の物理アドレスを、ＴＶ受像機２００から取得する。ＴＶ受像機２００は、ＡＶレシーバー１の物理アドレスを（１，０，０，０）に決定し、決定した物理アドレス（１，０，０，０）を図示しないＥＤＩＤ  ＲＯＭに記憶する。制御部２は、ＤＤＣラインにより、ＥＤＩＤ  ＲＯＭに接続されており、ＤＤＣラインを介して、ＥＤＩＤ  ＲＯＭにアクセスして、ＡＶレシーバー１の物理アドレス（１，０，０，０）を取得する。
【００２５】
制御部２は、取得したＡＶレシーバーの物理アドレス（１，０，０，０）に基づいて、ＢＤプレーヤー１００ａ、１００ｂの物理アドレスを決定する。具体的には、制御部２は、ＢＤプレーヤー１００ａの物理アドレスとして、ＡＶレシーバー１よりも１つ下の階層で、１番目の機器であることを示す物理アドレス（１，１，０，０）を決定する。また、制御部２は、ＢＤプレーヤー１００ｂの物理アドレスとして、ＡＶレシーバー１よりも１つ下の階層で、２番目の機器であることを示す物理アドレス（１，２，０，０）を決定する。
【００２６】
制御部２は、決定したＢＤプレーヤー１００ａ、１００ｂの物理アドレスを、ＥＤＩＤ  ＲＯＭ１２に記憶する。ここで、制御部２は、決定したＢＤプレーヤー１００ａ、１００ｂの物理アドレスを、ＥＤＩＤ  ＲＯＭ１２に記憶したときに、ＢＤプレーヤー１００ａ、１００ｂに、ＥＤＩＤ  ＲＯＭ１２に記憶されている、ＢＤプレーヤー１００ａ、１００ｂの物理アドレスを取得させる。具体的には、制御部２は、物理アドレスを取得させるベンダーコマンドをＢＤプレーヤー１００ａ、１００ｂに送信することにより、ＢＤプレーヤー１００ａ、１００ｂに物理アドレスを取得させる。ここで、ベンダーコマンドは、ＣＥＣ機能の補助機能であり、各ベンダー（メーカー）独自に定義されたコマンドである。上述のように、ＥＤＩＤ  ＲＯＭ１２は、ＤＤＣラインにより、ＢＤプレーヤー１００ａ、１００ｂと接続されている。このため、ＢＤプレーヤー１００ａ、１００ｂは、ＥＤＩＤ  ＲＯＭ１２にアクセスし、ＡＶレシーバー１により決定された物理アドレスを取得することが可能である。
【００２７】
また、制御部２は、決定したＢＤプレーヤー１００ａ、１００ｂの物理アドレスと、ＢＤプレーヤー１００ａ、１００ｂの論理アドレスと、を対応付けて記憶部３に記憶する。図２は、記憶部３に記憶される、物理アドレスと論理アドレスとの対応関係を示すテーブルの一例である。論理アドレスは、機器種別を示す００〜１４までの数字によって表現される。機器種別としては、ＴＶ受像機（TV）、ＢＤレコーダー等のレコーダー（Recording Device）、ＢＤプレーヤー等のプレーヤー（Playback Device）、チューナー（Tuner）、ＡＶレシーバー等のオーディオシステム（Audio System）等である。図２に示すように、ＴＶ受像機２００（TV）の論理アドレス「００」と、物理アドレス「０，０，０，０」と、が対応付けて記憶されている。ＢＤプレーヤー１００ａ（BD Player 1）の論理アドレス「０４」と、物理アドレス「１，１，０，０」と、が対応付けて記憶されている。ＡＶレシーバー１（AV Receiver）の論理アドレス「０５」と、物理アドレス「１，０，０，０」と、が対応付けて記憶されている。ＢＤプレーヤー１００ｂ（BD Player 2）の論理アドレス「０８」と、物理アドレス「１，２，０，０」と、が対応付けて記憶されている。
【００２８】
また、制御部２は、ＢＤプレーヤー１００が認識している、ＢＤプレーヤー１００の物理アドレスを取得する。具体的には、制御部２は、ＢＤプレーヤー１００からＣＥＣメッセージを受信した場合に、ＣＥＣメッセージに含まれている、ＢＤプレーヤー１００が認識している、ＢＤプレーヤー１００の物理アドレスを取得する。なお、ＣＥＣメッセージは、<Message> [Parameter]という構成になっており、[Parameter]として、物理アドレスが記述される場合がある。
【００２９】
また、制御部２は、取得したＢＤプレーヤー１００の物理アドレスと、記憶部３に記憶されている、ＢＤプレーヤー１００の論理アドレスに対応する物理アドレスと、が一致しない場合、ＢＤプレーヤー１００に、ＥＤＩＤ  ＲＯＭ１２に記憶されている、ＢＤプレーヤー１００の物理アドレスを取得させる。
【００３０】
具体的には、まず、制御部２は、取得したＢＤプレーヤー１００の物理アドレスと、記憶部３に記憶されている、ＢＤプレーヤー１００の論理アドレスに対応する物理アドレスと、が一致するか否かを判断する。例えば、取得したＢＤプレーヤー１００ｂの物理アドレスが「１，２，０，０」であれば、ＢＤプレーヤー１００ｂの論理アドレス「０８」に対応する物理アドレス「１，２，０，０」と一致するため、制御部２は、取得したＢＤプレーヤー１００ｂの物理アドレスと、記憶部３に記憶されている、ＢＤプレーヤー１００ｂの論理アドレスと対応する物理アドレスと、が一致すると判断する。また、例えば、取得したＢＤプレーヤー１００ｂの物理アドレスが「１，０，０，０」であれば、ＢＤプレーヤー１００ｂの論理アドレス「０８」と対応する物理アドレス「１，２，０，０」と一致しないため、制御部２は、取得したＢＤプレーヤー１００ｂの物理アドレスと、ＢＤプレーヤー１００ｂの論理アドレスに対応する物理アドレスと、が一致しないと判断する。
【００３１】
制御部２は、取得したＢＤプレーヤー１００の物理アドレスと、ＢＤプレーヤー１００の論理アドレスに対応する物理アドレスと、が一致しないと判断した場合、そのＢＤプレーヤー１００に、ＥＤＩＤ  ＲＯＭ１２に記憶されている、ＢＤプレーヤー１００の物理アドレスを取得させる。制御部２は、物理アドレスを取得させるベンダーコマンドをＢＤプレーヤー１００に送信することにより、ＢＤプレーヤー１００に物理アドレスを取得させる。
【００３２】
以下、ＣＥＣ機能がオンになった場合のＡＶレシーバー１の処理動作を、図３に示すフローチャートに基づいて説明する。まず、制御部２は、ＤＤＣラインを介して、ＴＶ受像機２００のＥＤＩＤ  ＲＯＭにアクセスして、ＴＶ受像機２００及びＡＶレシーバー１の物理アドレスを取得する（Ｓ１）。次に、制御部２は、取得したＡＶレシーバー１の物理アドレスを、ＡＶレシーバー１の物理アドレスとして決定する（Ｓ２）。次に、制御部２は、ＢＤプレーヤー１００の物理アドレスを決定する（Ｓ３）。
【００３３】
次に、制御部２は、物理アドレスを取得させるベンダーコマンドをＢＤプレーヤー１００に送信することにより、ＥＤＩＤ  ＲＯＭ１２に記憶されている、ＢＤプレーヤー１００の物理アドレスを取得させる（Ｓ４）。
【００３４】
以下、ＢＤプレーヤー１００から送信されるＣＥＣメッセージを受信した場合のＡＶレシーバー１の処理動作を、図４に示すフローチャートに基づいて説明する。制御部２は、ＢＤプレーヤー１００から送信されるＣＥＣメッセージを受信したか否かを判断する（Ｓ１１）。制御部２は、ＢＤプレーヤー１００から送信されるＣＥＣメッセージを受信していないと判断している間は（Ｓ１１：Ｎｏ）、Ｓ１１の処理を繰り返し実行する。制御部２は、ＢＤプレーヤー１００から送信されるＣＥＣメッセージを受信したと判断した場合（Ｓ１１：Ｙｅｓ）、ＣＥＣメッセージに物理アドレスが含まれているか否かを判断する（Ｓ１２）。制御部２は、ＣＥＣメッセージに物理アドレスが含まれていると判断した場合（Ｓ１２：Ｙｅｓ）、ＣＥＣメッセージに含まれている、ＢＤプレーヤー１００が認識している、ＢＤプレーヤー１００の物理アドレスを取得する（Ｓ１３）。次に、制御部２は、取得したＢＤプレーヤー１００の物理アドレスと、記憶部３に記憶されている、ＢＤプレーヤー１００の論理アドレスに対応する物理アドレスと、が一致するか否かを判断する（Ｓ１４）。
【００３５】
制御部２は、取得したＢＤプレーヤー１００の物理アドレスと、ＢＤプレーヤー１００の論理アドレスに対応する物理アドレスと、が一致しないと判断した場合（Ｓ１４：Ｎｏ）、物理アドレスを取得させるベンダーコマンドをＢＤプレーヤー１００に送信することにより、ＢＤプレーヤー１００に物理アドレスを取得させる（Ｓ１５）。
【００３６】
制御部２は、ＣＥＣメッセージに物理アドレスが含まれていないと判断した場合（Ｓ１２：Ｎｏ）、取得したＢＤプレーヤー１００の物理アドレスと、ＢＤプレーヤー１００の論理アドレスに対応する物理アドレスと、が一致すると判断した場合（Ｓ１４：Ｙｅｓ）、処理を終了する。
【００３７】
以上説明したように、本実施形態では、制御部２は、取得したＢＤプレーヤー１００の物理アドレスと、記憶部３に記憶されている、ＢＤプレーヤーの論理アドレスに対応する物理アドレスと、が一致しない場合、ＢＤプレーヤー１００に、ＥＤＩＤ  ＲＯＭ１２に記憶されている、ＢＤプレーヤー１００の物理アドレスを取得させる。これにより、誤った物理アドレスにより、ＢＤプレーヤー１００、ＡＶレシーバー１が誤動作を生じることを防止することができる。
【００３８】
また、本実施形態では、制御部２は、決定したＢＤプレーヤー１００の物理アドレスをＥＤＩＤ  ＲＯＭ１２に記憶したときに、ＢＤプレーヤー１００に、ＥＤＩＤ  ＲＯＭ１２に記憶されている、ＢＤプレーヤー１００の物理アドレスを取得させる。これにより、誤った物理アドレスにより、ＢＤプレーヤー１００、ＡＶレシーバー１が誤動作を生じることを防止することができる。
【００３９】
また、本実施形態では、制御部２は、ＢＤプレーヤー１００からＣＥＣメッセージを受信した場合に、ＣＥＣメッセージに含まれている、ＢＤプレーヤー１００が認識している、ＢＤプレーヤー１００の物理アドレスを取得する。これにより、ＢＤプレーヤー１００から物理アドレスを取得するためのメッセージの送信等の処理を行うことなく、ＢＤプレーヤー１００の物理ドレスを取得することができる。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、デジタル信号ケーブルを介して接続される外部機器と通信を行う電子機器として、リピータ機器であるＡＶレシーバーを例示した。これに限らず、電子機器としては、デジタル信号ケーブルを介して接続される外部機器の物理アドレスを決定する機器であれば、シンク機器であるＴＶ受像機等であってもよい。
【産業上の利用可能性】
【００４２】
本発明は、デジタル信号ケーブルを介して接続される外部機器と通信を行う電子機器に好適に採用され得る。
【符号の説明】
【００４３】
１  ＡＶレシーバー（電子機器）
２  制御部
３  記憶部（第２記憶部）
６  デジタル信号入力端子
８  デジタル信号受信部
９  ビデオプロセッサ
１０  デジタル信号送信部
１１  デジタル信号出力端子
１２  ＥＤＩＤ  ＲＯＭ（第１記憶部）
１００ａ、１００ｂ  ＢＤプレーヤー（外部機器）
２００  ＴＶ受像機
【図１】
2016001845.tif 000003
【図２】
2016001845.tif 000004
【図３】
2016001845.tif 000005
【図４】
2016001845.tif 000006
【図５】
2016001845.tif 000007
【図６】
2016001845.tif 000008